(57)【要約】 【課題】小型器具を備えたクリップ機構を片手で操作することができ、 クリップ時に小型器具の正面の向きを変動させないクリップ機構、およびそのようなクリップ機構を備えた撮像装置を提供すること。【解決手段】ウエブカメラ２０を保持する本体３１の前面側の下方に存在する挟持板４３と、根元部５２Ｌ、５２Ｒが回動支持部３３Ｂに回動可能に取り付けられ、 先端部にクランパー５３Ｌ、５３Ｒが設けられた２本のクランプアーム５１Ｌ、５１Ｒと、２本のクランプアーム５１Ｌ、５１Ｒを回動支持部３３Ｂの回りに離隔する方向へ回動させ、挟持板４３と２個のクランパー５３Ｌ、５３Ｒとの間隔を狭めるように付勢するバネとからなるクリップ機構であり、そのバネとしてバネ・ホルダー３３Ｕにコイル状に巻装された２個のトーションバネ６１Ｌ、６１Ｒを使用し、それぞれの一端は本体３１の係止部３９に、他端は対応するクランプアーム５１Ｌ、５１Ｒに係止する。【選択図】図７
2007249008.tif 000002
【特許請求の範囲】
【請求項１】
被クリップ部材を、静止部である挟持面と可動部である２個のクランパーとで挟持するクリップ機構であって、
前記クランパーをそれぞれの先端部に有する２本のクランプアームと、前記２個のクランパーが相互に離隔し、それぞれが前記挟持面に近づく第１の方向、および前記２個のクランパーが相互に近接し、それぞれが前記挟持面から離隔する第２の方向へ回動可能なように前記２本のクランプアームの根元部を支持する回動支持部と、前記２個のクランパーを前記第１の方向へ回動させるように付勢するバネと、少なくとも前記挟持面および前記回動支持部を保持する本体とを備え、
前記バネは、前記回動支持部の直上に設けられたバネ・ホルダーの周面に沿ってコイル状に巻装された２個のトーションバネであり、それぞれの前記トーションバネは一端が前記バネ・ホルダーの近傍に設けられた共通のバネ係止部に係止されており、他端が前記２本のクランプアームの何れかに係止されていることを特徴とするクリップ機構。
【請求項２】
被クリップ部材を、静止部である挟持面と可動部である２個のクランパーとで挟持するクリップ機構であって、
前記クランパーをそれぞれの先端部に有する２本のクランプアームと、前記２個のクランパーが相互に離隔し、それぞれが前記挟持面に近づく第１の方向、および前記２個のクランパーが相互に近接し、それぞれが前記挟持面から離隔する第２の方向へ回動可能なように前記２本のクランプアームの根元部を支持する回動支持部と、前記２個のクランパーを前記第１の方向へ回動させるように付勢するバネと、少なくとも前記挟持面および前記回動支持部を保持する本体とを備え、
前記バネは、前記回動支持部の直上に設けられたバネ・ホルダーの周面に沿ってコイル状に巻装された１個のトーションバネであり、前記トーションバネは長さの中間部分が前記バネ・ホルダーの近傍に設けられたバネ係止部に係止されており、両端が前記２本のクランプアームにそれぞれ係止されていることを特徴とするクリップ機構。
【請求項３】
前記バネ係止部が前記バネ・ホルダーと平行に立てた小径の柱状体とされていることを特徴とする請求項１または請求項２に記載のクリップ機構。
【請求項４】
前記挟持面と平行であり前記回動支持部の中心を通る仮想面と、付勢されたそれぞれの前記クランプアームの長さ方向の中心線とが、前記挟持面と反対側において、所定の角度をなすように、２本の前記クランプアームの付勢による回動角度を制限するためのストッパーが設けられていることを特徴とする請求項１または請求項２に記載のクリップ機構。
【請求項５】
２個の前記クランパーそれぞれの外周面に、指掛け部として、前記クランプアームの前記中心線が前記外周面と交差する部分を上下方向に通る線状の突起が設けられていることを特徴とする請求項１または請求項２に記載のクリップ機構。
【請求項６】
前記本体の上部に、前記挟持面と平行で水平な方向の回動軸を介して、小型器具が回動可能に保持されていることを特徴とする請求項１または請求項２に記載のクリップ機構。
【請求項７】
前記本体が前記小型器具を保持する上側部分と、前記回動支持部および前記挟持面を含む下側部分とからなり、前記上側部分が前記回動支持部の上端部においてフリクション・ゴムを介して前記回動支持部と直角な水平面内で回動可能とされていることを特徴とする請求項１または請求項２に記載のクリップ機構。
【請求項８】
被クリップ部材を、静止部である挟持面と可動部である２個のクランパーとで挟持するクリップ機構を備えた撮像装置であって、
前記クランパーをそれぞれの先端部に有する２本のクランプアームと、前記２個のクランパーが相互に離隔し、それぞれが前記挟持面に近づく第１の方向、および前記２個のクランパーが相互に近接し、それぞれが前記挟持面から離隔する第２の方向へ回動可能なように前記２本のクランプアームの根元部を支持する回動支持部と、前記２個のクランパーを前記第１の方向へ回動させるように付勢するバネと、少なくとも前記挟持面および前記回動支持部を保持する本体とを備え、
前記バネは、前記回動支持部の直上に設けられたバネ・ホルダーの周面に沿ってコイル状に巻装された２個のトーションバネであり、それぞれの前記トーションバネは一端が前記バネ・ホルダーの近傍に設けられた共通のバネ係止部に係止されており、他端が前記２本のクランプアームの何れかに係止されたクリップ機構を有していることを特徴とするクリップ機構を備えた撮像装置。
【請求項９】
被クリップ部材を、静止部である挟持面と可動部である２個のクランパーとで挟持するクリップ機構を備えた撮像装置であって、
前記クランパーをそれぞれの先端部に有する２本のクランプアームと、前記２個のクランパーが相互に離隔し、それぞれが前記挟持面に近づく第１の方向、および前記２個のクランパーが相互に近接し、それぞれが前記挟持面から離隔する第２の方向へ回動可能なように前記２本のクランプアームの根元部を支持する回動支持部と、前記２個のクランパーを前記第１の方向へ回動させるように付勢するバネと、少なくとも前記挟持面および前記回動支持部を保持する本体とを備え、
前記バネは、前記回動支持部の直上に設けられたバネ・ホルダーの周面に沿ってコイル状に巻装された１個のトーションバネであり、前記トーションバネは長さの中間部分が前記バネ・ホルダーの近傍に設けられたバネ係止部に係止されており、両端が前記２本のクランプアームにそれぞれ係止されたクリップ機構を有していることを特徴とするクリップ機構を備えた撮像装置。
【発明の詳細な説明】
【技術分野】
【０００１】
本発明は小型器具を被クリップ部材にクリップして固定するためのクリップ機構、更に詳しくは、クリップ機構を片手で操作して小型器具をクリップすることができ、かつ、小型器具の正面の向きを変動させることなく意図する向きにクリップし得るクリップ機構、およびそのようなクリップ機構を備えた撮像装置に関するものである。
【背景技術】
【０００２】
従来、ウエブカメラ、マイクロフォン、ないしは小型の扇風機、補助灯等の小型の周辺器具を必要とする場合に、被クリップ部材となる主体機器へ直接に、または離れた位置ある固定用部材に対しクリップ機構によってクリップして固定することが行われている。
【０００３】
例えば、図１３はノートブック型パーソナルコンピュータ（以降、ノート型ＰＣと略す）１１１の表示パネル１２３に小型電子カメラ１１０を取り付けた状態を示す斜視図、図１４はその小型電子カメラ１１０の部分破断斜視図である。小型電子カメラ１１０はレンズを備えたカメラ部１１２と本体部１１３とからなっており、ケーブル１１５によってパソコン１１１と接続されている。本体部１１３内にはスリット１２１を有する円筒形状の支持部材１２０が設けられており、その支持部材１２０にバネ１１４のコイル部１１４ｃが収容されている。そして、図１４においてコイル部１１４ｃの下側の一端１１４ｄがスリット１２１を外側へ挿通して位置決めされており、上側の他端は本体部１１３の外側へ引き出され、所定の長さの軸部１１４ｂと、軸部１１４ｂに続いて直角に曲げられた係止部１１４ａとからなっている。そしてバネ１１４は、係止部１１４ａが常に本体部１１３の側面に当接した状態となるように付勢されており、その状態で固定部材１１９の胴部１１９ｂを上方から支持部材１２０内へ嵌め込むことにより、バネ１１４を本体部１１３に固定している。
【０００４】
このような小型電子カメラ１１０を、図１３に示すように、パソコン１１１に取り付けるには、軸部１１４ｂと共に係止部１１４ａを本体部１１３から離隔させ、本体部１１３と係止部１１４ａとの間に表示パネル１２３を挟み込んでクリップすることにより行われる（特許文献１を参照）。
【０００５】
【特許文献１】特開平９−２８９６０４号公報
【０００６】
そのほか、市販品の一例である図１５に示すウエブカメラ１３０は、図１５のＡを参照して、そのクリップ機構１３１は、静止側の挟持体１３２と可動側のクリップ体１３３とからなり、クリップ体１３３の両端から出るロッド１３４は上方へ伸び水平に曲げられて挟持体１３２の前面の穴１３２ｈへ挿入されている。図示せずとも、ロッド１３４は挟持体１３２内において引張バネに連結されており、クリップ体１３３は挟持体１３２の前面を押圧するように付勢されている。そして、図１５のＢは、このウエブカメラ１３０をノート型ＰＣの表示パネル１２３にクリップした状態を示すが、挟持体１３２と挟持体１３２から引き出されたクリップ体１３３との間に表示パネル１２３を挟持してクリップされている。  
【発明の開示】
【発明が解決しようとする課題】
【０００７】
図１４に示した小型電子カメラ１１０を、 図１３に示すように、 パソコン１１１の表示パネル１２３に取り付ける時には、一方の手で本体部１１３を持ち、他方の手で係止部１１４ａを持って、本体部１１３から係止部１１４ａを引き離すことを要するので両方の手を使うことになり、取付けが終わるまでは、パソコン１１１のディスプレイ１２６の読み取りは困難であるほか、キーボード１２４やトラックパッド１２５の操作は完全に中断される。また、本体部１１３からは長い軸部１１４ｂの他端側の係止部１１４ａによってノート型ＰＣ１１１の表示パネル１２３を挟んでクリップするので、取り付けた小型電子カメラ１１０は傾いた姿勢となり易く、傾いた場合にはその調整に手間がかかると言う問題もある。
【０００８】
そのほか、図１５のＡに示したウエブカメラ１３０を、図１５のＢに示すように、表示パネル１２３にクリップするに際しては、一方の手で挟持部１３２を持ち、他方の手でクリップ体１３３を持って、挟持体１３２からクリップ体１３３をロッド１３４と共に引き離して、クリップ体１３３と挟持体１３２との間隔を広げ、それらの間に表示パネル１２３を挟むことによって行なわれる。 取り外す場合も同様であり、このウエブカメラ１３０においても、その着脱は両手による操作を必要とする。
【０００９】
本発明は上述の問題に鑑みてなされ、小型器具（例えば撮像装置）を保持するクリップ機構を片手で操作して被クリップ部材（例えばノート型ＰＣの表示パネル）にクリップすることができるクリップ機構、片手でクリップ機構を操作して小型器具をクリップする場合には、クリップ機構への力のかかり具合によって小型器具の正面の向きが変動し易いが、クリップ時に小型器具の正面の向きを変動させないクリップ機構、およびそのようなクリップ機構を備えた撮像装置を提供することを課題とする。
【課題を解決するための手段】
【００１０】
上記の課題は請求項１、請求項２、または請求項８、請求項９の構成によって解決されるが、その解決手段を説明すれば次に示す如くである。
【００１１】
請求項１のクリップ機構は、被クリップ部材を静止部である挟持面と可動部である２個のクランパーとで挟持するクリップ機構であって、前記クランパーをそれぞれの先端部に有する２本のクランプアームと、前記２個のクランパーが相互に離隔し、それぞれが前記挟持面に近づく第１の方向、および前記２個のクランパーが相互に近接し、それぞれが前記挟持面から離隔する第２の方向へ回動可能なように前記２本のクランプアームの根元部を支持する回動支持部と、前記２個のクランパーを前記第１の方向へ回動させるように付勢するバネと、少なくとも前記挟持面および前記回動支持部を保持する本体とを備え、
前記バネは、前記回動支持部の直上に設けられたバネ・ホルダーの周面に沿ってコイル状に巻装された２個のトーションバネであり、それぞれの前記トーションバネは一端が前記バネ・ホルダーの近傍に設けられた共通のバネ係止部に係止されており、他端が前記２本のクランプアームの何れかに係止されているクリップ機構である。
【００１２】
このようなクリップ機構は、２個のクランパーを片手で把持し、付勢に抗して２個のクランパーを相互に近接させることにより、挟持面と２個のクランパーそれぞれとの間隔を広げることができ、間隔を広げた挟持面と２個のクランパーとの間に被クリップ部材を挟持させることにより、小型器具を保持するクリップ機構を被クリップ部材にクリップすることができる。そして、コイル状に巻かれた２個のトーションバネを使用して、２本のクランプアームをそれぞれ独立に付勢しているので、片手で２個のクランパーを把持し、付勢に抗して２個のクランパーを相互に近接する第２の方向へ回動させる時、一方のクランパーにかける付勢に抗する力が他方のクランパーにかける付勢に抗する力より大になることはない。
【００１３】
請求項２のクリップ機構は、被クリップ部材を静止部である挟持面と可動部である２個のクランパーとで挟持するクリップ機構であって、前記クランパーをそれぞれの先端部に有する２本のクランプアームと、前記２個のクランパーが相互に離隔し、それぞれが前記挟持面に近づく第１の方向、および前記２個のクランパーが相互に近接し、それぞれが前記挟持面から離隔する第２の方向へ回動可能なように前記２本のクランプアームの根元部を支持する回動支持部と、前記２個のクランパーを前記第１の方向へ回動させるように付勢するバネと、少なくとも前記挟持面および前記回動支持部を保持する本体とを備え、
前記バネは、前記回動支持部の直上に設けられたバネ・ホルダーの周面に沿ってコイル状に巻装された１個のトーションバネであり、前記トーションバネは長さの中間部分が前記バネ・ホルダーの近傍に設けられたバネ係止部に係止されており、両端が前記２本のクランプアームにそれぞれ係止されているクリップ機構である。
【００１４】
このようなクリップ機構は、２個のクランパーを片手で把持し、付勢に抗して２個のクランパーを相互に近接させることによって挟持面と２個のクランパーそれぞれとの間隔を広げることができ、間隔を広げた挟持面と２個のクランパーとの間に被クリップ部材を挟持させることにより、小型器具を保持するクリップ機構を被クリップ部材にクリップすることができる。そして、コイル状に巻かれ、長さの中間部分で係止した１個のトーションバネの両端によって２本のクランプアームを付勢しているが、そのことによりトーションバネは中間部分を境にして一方と他方は独立して伸縮するので、２個のトーションバネを使用した場合と同様に作用し、片手で２個のクランパーを把持し、付勢に抗して２本のクランパーを相互に近接させる第２の方向へ回動させる時、一方のクランパーにかける付勢に抗する力が他方のクランパーにかける付勢に抗する力より大になることはない。
【００１５】
請求項３のクリップ機構は、前記バネ係止部が前記バネ・ホルダーと平行に立てた小径の柱状体とされているクリップ機構である。
【００１６】
このようなクリップ機構は、２個のトーションバネによる場合には、それぞれの一端を小径の柱状体からなるバネ係止部の外周に整合した線形状に加工することで容易に係止することができる。また、１個のトーションバネによる場合には、同バネ係止部の外周に嵌め込むことのできるループをトーションバネの長さの中間部分に形成することで、容易に係止することができる。
【００１７】
請求項４のクリップ機構は、前記挟持面と平行であり前記回動支持部の軸心を通る仮想面と、付勢された２本の前記クランプアームそれぞれの長さ方向の中心線とが、前記挟持面と反対側において、所定の角度をなすように、２本の前記クランプアームの付勢による回動角度を制限するためのストッパーが設けられているクリップ機構である。
【００１８】
このようなクリップ機構は、上記の所定角度をθとすると、付勢された位置にある２本のクランプアームがなす角度は（１８０−２θ）度になり、各クランプアームの先端部に設けられている左右のクランパーを片手で容易に把持することができ、かつ付勢に抗する力をかけ易くする
【００１９】
請求項５のクリップ機構は、２個の前記クランパーそれぞれの外周面に、指掛け部として、前記クランプアームの前記中心線が前記外周面と交差する部分を上下方向に通る線状の突起が設けられているクリップ機構である。
【００２０】
このようなクリップ機構は、左右のクランパーを片手で把持して２本のクランプアームを相互に近接する第１の方向へ回動させる時に、手指の滑りを抑制し、かつ付勢に抗する力を掛け易くする。
【００２１】
請求項６のクリップ機構は、前記本体の上部に、前記挟持面と平行で水平な方向の回動軸を介して、小型器具が回動可能に保持されているクリップ機構である。
【００２２】
このようなクリップ機構は、小型器具を被クリップ部材にクリップした後に小型器具の正面を上下方向に回動させることができるほか、小型器具が正面を水平方向へ向けている状態において、本体および付勢された状態にある２本のクランプアームと共に、左右２個のクランパーを前方へ略水平となる位置まで回動させることができ、２個のクランパーを小型器具の台座として使用することができる。  
【００２３】
請求項７のクリップ機構は、前記本体が前記小型器具を保持する上側部分と、前記回動支持部、前記バネ・ホルダーおよび前記挟持面を保持する下側部分とからなり、前記上側部分が前記バネ・ホルダーの上端部においてフリクション・ゴムを介して前記バネ・ホルダーと直角な水平面内で回動可能とされているクリップ機構である。
【００２４】
このようなクリップ機構は、小型器具を被クリップ部材にクリップした状態において、適度な摩擦抵抗を伴って小型器具の正面の向きを水平面内で回動させることができ、かつ回動させた任意の角度位置においてフリクション・ゴムの復元力によって固定され、僅かな力では動かない。
【００２５】
請求項８のクリップ機構を備えた撮像装置は、被クリップ部材を静止部である挟持面と可動部である２個のクランパーとで挟持するクリップ機構を備えたウエブカメラであって、前記クランパーをそれぞれの先端部に有する２本のクランプアームと、前記２個のクランパーが相互に離隔し、それぞれが前記挟持面に近づく第１の方向、および前記２個のクランパーが相互に近接し、それぞれが前記挟持面から離隔する第２の方向へ回動可能なように前記２本のクランプアームの根元部を支持する回動支持部と、前記２個のクランパーを前記第１の方向へ回動させるように付勢するバネと、少なくとも前記挟持面および前記回動支持部を保持する本体とを備え、
前記バネは、前記回動支持部の直上に設けられたバネ・ホルダーの周面に沿ってコイル状に巻装された２個のトーションバネであり、それぞれの前記トーションバネは、一端が前記バネ・ホルダーの近傍に設けられた共通のバネ係止部に係止されており、他端が前記２本のクランプアームの何れかに係止されているクリップ機構を有している撮像装置である。
【００２６】
このようなクリップ機構を備えた撮像装置は、被クリップ部材であるノート型ＰＣと一体の表示パネルやデスクトップ型ＰＣの分離された厚さの薄い表示パネルに対し、クリップ機構の２個のクランパーを片手で把持し、付勢に抗して２個のクランパーを相互に近接する第２の方向に回動させて、クリップ機構の挟持面と２個のクランパーそれぞれとの間隔を広げ、それらの間に表示パネルを挟持させて、ウエブカメラを容易にクリップすることができる。また、コイル状に巻かれた２個のトーションバネを使用して２個のクランパーをそれぞれ独立に付勢していることから、２個のクランパーを片手で操作して撮像装置の正面を意図する向きにクリップすることができる。
【００２７】
請求項９のクリップ機構を備えた撮像装置は、被クリップ部材を静止部である挟持面と可動部である２個のクランパーとで挟持するクリップ機構を備えたウエブカメラであって、前記クランパーをそれぞれの先端部に有する２本のクランプアームと、前記２個のクランパーが相互に離隔し、それぞれが前記挟持面に近づく第１の方向、および前記２個のクランパーが相互に近接し、それぞれが前記挟持面から離隔する第２の方向へ回動可能なように前記２本のクランプアームの根元部を支持する回動支持部と、前記２個のクランパーを前記第１の方向へ回動させるように付勢するバネと、少なくとも前記挟持面および前記回動支持部を保持する本体とを備え、
前記バネは、前記回動支持部の直上に設けられたバネ・ホルダーの周面に沿ってコイル状に巻装された１個のトーションバネであり、前記トーションバネは長さの中間部分が前記バネ・ホルダーの近傍に設けられたバネ係止部に係止されており、両端が前記２本のクランプアームにそれぞれ係止されたクリップ機構を有している撮像装置である。
【００２８】
このようなクリップ機構を備えた撮像装置は、被クリップ部材であるノート型ＰＣと一体の表示パネルやデスクトップ型ＰＣの分離された厚さの薄い表示パネルに対し、クリップ機構の２個のクランパーを片手で把持し、付勢に抗して２個のクランパーを相互に近接する第２の方向に回動させて、クリップ機構の挟持面と２個のクランパーそれぞれとの間隔を広げ、それらの間に表示パネルを挟持させてウエブカメラを容易にクリップすることができる。また、コイル状に巻いた１個のトーションバネを長さの中間部分で係止して、一端を一方のクランプアームに係止し、他端を他方のクランプアームに係止していることから、２個のクランパーを片手で操作して撮像装置の正面を意図する向きにクリップすることができる。
【発明の効果】
【００２９】
請求項１のクリップ機構によれば、根元部を回動支持部の回りに回動可能に支持された２本のクランプアームそれぞれの先端部のクランパーを相互に離隔する第１の方向へ回動させるように付勢するバネとして、バネ・ホルダーの周面に沿ってコイル状に巻装され、共に一端を共通のバネ係止部に係止され他端を２本のクランプアームの何れか一方に係止された２個のトーションバネを使用しているので、２本のクランプアームそれぞれの先端部の左右２個のクランパーを片手で把持し、付勢に抗して２本のクランパーを近接させる第２の方向へ回動させる時、一方のクランパーにかける付勢に抗する力（対応する一方のクランプアームを付勢している一方のトーションバネを伸張させる力）が、他方のクランパーにかける付勢に抗する力（対応する他方のクランプアームを付勢している他方のトーションバネを伸張させる力）より大になるような力のかけ方は起こり難く、２個のクランパーに同程度の力をかけるので、２個のトーションバネは同程度に伸張し、挟持面が向きを変えることはなく、本体に保持された小型器具が意図する向きからずれてクリップされることはない。
【００３０】
請求項２のクリップ機構によれば、根元部を回動支持部の回りに回動可能に支持された２本のクランプアームそれぞれの先端部のクランパーを相互に離隔する方向へ回動させるように付勢するバネとして、バネ・ホルダーの周面に沿ってコイル状に巻装された１個のトーションバネを使用し、トーションバネの長さの中間部分をバネ係止部に係止すると共に、一端は一方のクランプアームに係止し、他端は他方のクランプアームに係止しているので、２本のクランプアームそれぞれの先端部の左右２個のクランパーを片手で把持し、付勢に抗して２個のクランパーを近接させる第２の方向へ回動させる時、一方のクランパーにかける付勢に抗する力（一方のクランプアームを付勢しているバネ係止部から一方のクランプアームまでの部分を伸張させる力）が、他方のクランパーにかける付勢に抗する力（他方のクランプアームを付勢しているバネ係止部から他方のクランプアームまでの部分を伸張させる力）より大になるような力のかけ方は起こり難く、２個のクランパーに同程度の力をかけるので、１個のトーションバネの中間部分から両端までの部分はそれぞれ同程度に伸張し、回動支持部、挟持面を保持する本体が向きを変えることはなく、本体に保持された小型器具が意図する向きと異なってクリップされることはない。
【００３１】
請求項３のクリップ機構によれば、バネ係止部がバネ・ホルダーと平行に立設した小径の柱状体とされているので、バネ・ホルダーの周面に沿ってコイル状に巻装された２個のトーションバネそれぞれの一端を係止させ易く、また１個のトーションバネを使用する場合にも、その長さの中間部分にループを形成させることで容易に係止され、係止作業を容易化させる。
【００３２】
請求項４のクリップ機構によれば、付勢された状態にある２本のクランプアームのなす角度が（１８０−２θ）度となっているので、各クランプアームの先端部の２個のクランパーを片手で把持することを容易化させ、かつ付勢に抗する力をかけ易くし、把持している部分に注意を払うことなく、小型器具を被クリップ部材へ容易にクリップすることができる。
【００３３】
請求項５のクリップ機構によれば、２個のクランパーの外周面にそれぞれ指掛け部を設けているので、左右２個のクランパー片手で把持し、付勢に抗して２個のクランパーを相互に近接する第２の方向へ回動させる時に、手指の滑りを抑制し、かつ付勢に抗する力をかけ易くするほか、比較的長いクランプアームを使用していることも相俟って、挟持面と２個のクランパーそれぞれとの間隔を広げ易くしており、小型器具を被クリップ部材にクリップする操作を容易化させる。
【００３４】
請求項６のクリップ機構によれば、小型器具が、挟持面と平行で水平な回動軸を介して、本体に保持されているので、小型器具を被クリップ部材にクリップした後に小型器具の正面を上下方向に回動させることができるほか、小型器具の正面を水平方向に向けた状態において、２本のクランプアームおよび本体と共に、左右２個のクランパーを、前方へ略水平となる位置まで回動させて台座とすることができるので、小型器具を被クリップ部材にクリップすること以外に、小型器具を平面上に載置することを可能にし、適用範囲を拡大させる。
【００３５】
請求項７のクリップ機構によれば、クリップ機構の本体が小型器具を保持する上側部分と回動支持部および挟持面を保持する下側部分とからなっており、上側部分が回動支持部の上端部においてフリクション・ゴムを介して回動支持部と直角な水平面内で回動可能とされているので、小型器具を被クリップ部材にクリップした状態において、小型器具の正面の向きを水平面内で適度の摩擦抵抗を伴って水平面内で回動させることができ、かつ回動させた意図する角度位置においてフリクション・ゴムの復元力によって僅かな力では動くことなく固定され、快適な操作感、使用感を与える。
【００３６】
請求項８のクリップ機構を備えた撮像装置によれば、根元部が回動支持部の回りに回動可能に支持された２本のクランプアームを相互に離隔する第１の方向へ回動させるように均等に付勢するバネとして、回動支持部の周面に沿ってコイル状に巻装された２個のトーションバネを使用し、各トーションバネは一端を回動支持部の近傍の本体部分に設けられた共通のバネ係止部に係止し、他端を何れか一方のクランプアームに係止しているので、２本のクランプアームそれぞれの先端部の２個のクランパーを片手で把持し、付勢に抗して２個のクランパーを相互に近接する第２の方向へ回動させる時、一方のクランパーにかける付勢に抗する力（一方のトーションバネを伸張させる力）が、他方のクランパーにかける付勢に抗する力（他方のトーションバネを伸張させる力）よりも大であるような力のかけ方は起こり難く、従って挟持面を含む本体の向きは変動せず、本体に保持されている撮像装置を意図する向きにクリップすることができる。
【００３７】
請求項９のクリップ機構を備えた撮像装置によれば、根元部が回動支持部の回りに回動可能に取り付けられた２本のクランプアームを相互に離隔する第１の方向へ回動させるように均等に付勢するバネとして、回動支持部の周面に沿ってコイル状に巻装された１個のトーションバネを使用し、そのトーションバネは長さの中間部分を回動支持部の近傍の本体部分に設けられたバネ係止部に係止し、両端を２本のクランプアームにそれぞれ係止しているので、２本のクランプアームそれぞれの先端部の２個のクランパーを片手で把持し、付勢に抗して２個のクランパーを相互に近接する第２の方向へ回動させる時、一方のクランパーにかける付勢に抗する力（バネ係止部から一方のクランプアームまでの部分を伸張させる力）が、他方のクランパーにかける付勢に抗する力（バネ係止部から他方のクランプアームまでの部分を伸張させる力）よりも大なることは起こり難く、従って本体および挟持面の向きは変動せず、本体に保持されている撮像装置を意図する向きにクリップすることができる。
【発明を実施するための最良の形態】
【００３８】
本願発明のクリップ機構は、小型器具を保持する本体の前面側の下方に存在する挟持面と、根元部が本体内に設けた上下方向の円筒状の回動支持部の回りに回動可能に支持され、それぞれの先端部に挟持面と平行な上下方向の棒状のクランパーが取り付けられた２本のクランプアームと、２本のクランプアームを回動支持部の回りに相互に離隔する第１の方向へ回動させて２個のクランパーを挟持面の方へ回動させ、挟持面と２個のクランパーそれぞれとの間隔を狭めるように均等に付勢するバネとからなるクリップ機構であって、上記バネがバネ・ホルダーの周面に沿うようにコイル状に巻装された２個のトーションバネであり、それぞれのトーションバネは一端がバネ・ホルダーの近傍で本体部分に立設された共通のバネ係止部に係止されており、他端が両クランプアームの何れか一方に係止されているものである。従って、片手で２個のクランパーを把持し、付勢に抗して２本のクランプアームを相互に近接する第２の方向へ回動させて２個のクランパーを近接させて挟持面と２個のクランパーそれぞれとの間隔を広げ、挟持面と２個のクランパーとの間に被クリップ部材を挟持させることにより、小型器具を被クリップ部材へ容易にクリップすることができ、かつ小型器具の正面を意図する向きにすることができる。
【００３９】
上記のようなクリップ機構においては、左右２個のクランパーを片手で把持し、付勢に抗して２個のクランパーを相互に近接する第２の方向へ回動させる時、２本のクランプアームはそれぞれのトーションバネによって均等に付勢されているので、一方のクランパーにかける付勢に抗する力（一方のトーションバネを伸張するに要する力）が他方のクランパーにかける付勢に抗する力（他方のトーションバネを伸張するに要する力）より大になるような力のかけ方は起こらず、意識せずとも、両クランパーにかける付勢に抗する力が均等になるように力をかけるので、挟持面の向きは変動せず、従って挟持面と一体的な本体に保持されている小型器具の正面の向きを変動させることなく被クリップ部材にクリップすることができる。
【００４０】
これに対し、回動支持部の周面に沿ってコイル状に巻装された１個のトーションバネの両端を２本のクランプアームにそれぞれ係止するクリップ機構とすると、片手で左右２個のクランパーを把持し、付勢に抗して２本のクランプアームを回動支持部の回りに第２の方向へ回動させる時、一方のクランパーに他方のクランパーよりも大きい力かかる場合を生じ易い。その場合には、付勢しているトーションバネを一端側から引張してトーションバネ全体を均等に伸張させることになる。 そのようにしても、２個のクランパーを近接させて、挟持面と２個のクランパーそれぞれとの間隔を広げることは可能であるが、挟持面の向き、従って挟持面と一体的な本体に保持されている小型器具の正面の向きが変動し、小型器具を意図する向きとするには、クリップ操作中、又はクリップ後に意識的な調整を必要とする。
【００４１】
しかし、回動支持部の周面に沿ってコイル状に緩く巻装された１個のトーションバネによるクリップ機構であっても、そのトーションバネを長さの中間部分で係止して、両端何れの方からの引張によっても中間部分が移動しないようにしたトーションバネとすれば、 トーションバネの一端からの引張があっても、トーションバネの一端から係止部までの部分は伸張するが、係止部から他端までの部分は伸張しないので、このようなトーションバネを付勢に使用したクリップ機構は、上記の２個のトーションバネを使用した場合と同様に作用する。すなわち、片手で左右２個のクランパーを把持し、付勢に抗して２個のクランパーを近接させる第２の方向へ回動させる時、一方のクランパーにかける付勢に抗する力（トーションバネの一端から係止部までの部分を伸張するに要する力）が他方のクランパーにかける付勢に抗する力（トーションバネの他端から係止部までの部分を伸張するに要する力）より大になることはない。従って挟持面の向きは変動せず、挟持面と一体的な本体に保持されている小型器具の正面の向きを変動させない。
【実施例１】
【００４２】
図１は、撮影レンズ２１を備えたウエブカメラ２０が、そのクリップ機構３０によって、ノート型ＰＣ１０の表示パネル１１の上端周縁部１１ｕにクリップされている状態を示す斜め正面側からの斜視図であり、図２はクリップされた同ウエブカメラ２０を示す斜め裏面側からの斜視図である。図２に示すように、ウエブカメラ２０はクリップ機構３０の本体３１の回転可能とされた後述のパン・チルト・テーブル３８のカメラ保持部３２に、チルト用回動軸２４を介して保持されている。そして図１を参照し、クリップ機構３０は、その本体３１の前面側からの垂下部であり、表示パネル１１の前面側に当接する挟持板４３と、図２を参照し、表示パネル１１の背面側に当接する左右の棒状のクランパー５３Ｌ、クランパー５３Ｒとの間に表示パネル１１を挟持してクリップするものである。なお、クランパー５３Ｌは後述の図７に示す本体３１内で円筒状の回動支持部３３Ｂにリング状の根元部５２Ｌが回動可能に支持されたクランプアーム５１Ｌの先端部に垂下して取り付けられており、同じくクランパー５３Ｒはリング状の根元部５２Ｒが回動支持部３３Ｂに回動可能に支持されたクランプアーム５１Ｌの先端部に垂下して取り付けられている。なお、上記において称している左右はウエブカメラ２０を正面側から見た時の左右である。
【００４３】
上記クランプアーム５１Ｌおよびクランプアーム５１Ｒは、後述するように、本体３１内で回動支持部３３Ｂの直上に連結された円筒状のバネ・ホルダー３３Ｕにコイル状に巻装されたト−ションバネによって付勢されており、その付勢によって、それぞれの先端部のクランパー５３Ｌ、クランパー５３Ｒが表示パネル１１の背面を押圧するようになっている。そして、ウエブカメラ２０をクリップ機構３０と共に表示パネル１１から取り外す場合には、左右のクランパー５３Ｌおよびクランパー５３Ｒを片手の親指と人差指等とで同時に把持し、図３に示すように、付勢に抗して左右のクランパー５３Ｌ、クランパー５３Ｒを相互に近接させて、挟持板４３と２個のクランパー５３Ｌ、クランパー５３Ｒそれぞれとの間隔を広げる。なお、表示パネル１１に当接する挟持板４３の裏面側にはパッド４３Ｐが設けられている。また、ウエブカメラ２０の背面側にはウエブカメラ２０をノート型ＰＣ１０と接続するためのＵＳＢ端子を備えた接続ケーブル２２が設けられている。
【００４４】
図４は、ウエブカメラ２０とクリップ機構３０とのみを示す平面図であり、図５はクリップ機構３０の本体３１の内部を挟持板４３と共に拡大して示す横断面図である。      図５を参照し、クリップ機構の本体３１内では、上述したように、回動支持部３３Ｂにクランプアーム５１Ｒがリング状根元部５２Ｒを介して回動可能に支持されており、図４に示すように、クランプアーム５１Ｒの先端部にはクランパー５３Ｒが取り付けられている。他方のクランプアーム５１Ｌも同様であるが、図５においては、クランプアーム５１Ｌのリング状根元部５２Ｌは、クランプアーム５１Ｒのリング状根元部５２Ｒの直下にあり図示されない。この挟持板４３とクランパー５３Ｌ、クランパー５３Ｒそれぞれとの間の最小間隔は２．５ｍｍであるが、図４において実線で示すクランプアーム５１Ｌとクランパー５３Ｌ、およびクランプアーム５１Ｒとクランパー５３Ｒの位置は、挟持板４３とクランパー５３Ｌ、クランパー５３Ｒとの間に挟持することができるノート型ＰＣ１０の表示パネル１１の最小厚さを示す。
【００４５】
すなわち、挟持板４３の面と平行で、回動支持部３３Ｂの軸心Ｏを通る一点鎖線で示す仮想面ｆと、実線で示すクランプアーム５１Ｒの中心線とがなす角度θは、片手の親指と人差指等とによって左右のクランパー５３Ｒとクランパー５３Ｌを把持し、付勢に抗してクランパー５３Ｒとクランパー５３Ｌを第２の方向へ回動させて、クランパー５３Ｒとクランパー５３Ｌを容易に近接させることができる角度から決められる値であり、この角度θは、図５に示すように、本体３１に設けた回動のストッパー３７Ｒとストッパー３７Ｌによって規定される。クランプアーム５１Ｒがこの角度θよりも挟持板４３の方へ近い位置にあり、クランプアーム５１Lもその対称位置にある場合、一例として、クランプアーム５１Ｌとクランプアーム５１Ｒとが同一直線上にある場合には、クランパー５３Ｌとクランパー５３Ｒとを片手で把持して容易に近接させることはできないからである。
【００４６】
そして、図４において二点鎖線で示すクランプアーム５１Ｒ、クランパー５３Ｒ、およびクランプアーム５１Ｌ、クランパー５２Ｌの位置は、クランパー５３Ｒとクランパー５３Ｌとが挟持板４３との間に挟持することができる表示パネル１１の最大厚さを示す。なお、この時のクランプアーム５１Ｒとクランプアーム５１Ｌとの角度は図５に示すストッパー３６によって規定されている。勿論、挟持し得る表示パネル１１の厚さを更に大にするには、クランプアーム５１Ｌ、５１Ｒが相互に近接する方向へ回動し得る角度を更に大とするか、またはクランプアーム５１Ｒおよびクランプアーム５１Ｌの長さを更に大とすることによって可能である。なお、上記のストッパー３６、３７Ｌ、３７Ｒは後述の図６にも示されている。
【００４７】
そのほか、図４に示すように、クランパー５３Ｒには、クランプアーム５１Ｒの中心線がクランパー５３Ｒの外周と交差する部分に指掛け部５４Ｒが設けられており、図示せずとも上下方向の線状の突起となっている。このことはクランパー５２Ｌについても同様である。そして、指掛け部５４Ｒと指掛け部５４Ｌは、クランプアーム５１Ｒとクランプアーム５１Ｌが上述した角度θの位置にある時に、片手でクランパー５２Ｒとクランパー５２Ｌを把持する時に、手指が滑りにくく、かつ効果的に力をかけることができる位置であり、クランパー５２Ｒとクランパー５２Ｌとを相互に近接させる操作を容易化させる。
【００４８】
図６は図５にほぼ対応する斜視図である。すなわち、図５には回動支持部３３Ｂが示されているが、図６にはバネ・ホルダー３３Ｕが示されている。図６において、ト−ションバネ６１Ｒとト−ションバネ６１Ｌは何れも、上方の一端６２Ｌ、６２Ｒをバネ係止部３９に係止されているが、下方の他端６３Ｒ、６３Ｌはクランプアーム５１Ｌ、クランプアーム５１Ｒに係止されていないフリーな状態で示している。そして、例えばト−ションバネ６１Ｌの他端６３Ｌを対応するクランプアーム５１Ｌに係止するには、図６において、他端６３Ｌを太い矢印で示す方向へ引っ張り出し、トーションバネ６１Ｌを伸張させながらクランプアーム５１Ｌを乗り越えて図示されないリング状の根元部５２Ｌの近傍の挟持板４３とは反対側となる部分に引っ掛けて係止する。従って、クランプアーム５１Ｌは挟持板４３の方へ回動するように付勢される。上記ト−ションバネ６１Ｌの係止の位置関係は後述の図７、 図８に示している。このことはト−ションバネ６１Ｒの他端６３Ｒをクランプアーム５１Ｒに係止する場合においても同様である。
【００４９】
図７は、図４における［７］−［７］線方向の縦断面図であり、クリップ機構の本体３１を部分破断した断面図である。また、図８は図４における［８］−［８］線方向の縦断面図であるが、 図８のＡは本体３１を部分破断した断面図であり、図８のＢは回動支持部３３Ｂ、およびト−ションバネ６１Ｌ、ト−ションバネ６１Ｒも破断した断面図である。図８のＢに示すように、本体３１内に設けられている円筒状の回動支持部３３Ｂは、本体３１の底部と一体的に形成されており、上述したように、クランプアーム５１Ｌの根元部５２Ｌ、およびクランプアーム５１Ｒの根元部５２Ｒが回動可能に支持されている。そして、回動支持部３３Ｂの直上に円筒状のバネ・ホルダー３３Ｕが連結ネジ３５によって連結されており、回動支持部３３Ｂとバネ・ホルダー３３Ｕとによって中心軸が形成されている。上記バネ・ホルダー３３Ｕには上フランジ３３ｆａと下フランジ３３ｆｂとが設けられており、それらの間に、トーションバネ６１Ｒとトーションバネ６１Ｌとが上下に位置してコイル状に巻装されている。なお、図７、図８、および上述の図５においては、トーションバネ６１Ｒとトーションバネ６１Ｌを区別して見易いように、トーションバネ６１Ｒに網目をかけて示した。同様にクランプアーム５１Ｒも網目をかけて示した。
【００５０】
図８のＡ、図８のＢに示すように、また図５も参照して、バネ・ホルダー３３Ｕの下フランジ３３ｆｂの上面の前面側には、バネ・ホルダー３３Ｕと平行に小円柱状のバネ係止部３９が立設されており、トーションバネ６１Ｒの一端６２Ｒと、トーションバネ６１Ｌの一端６２Ｌが係止されている。そして、トーションバネ６１Ｒはバネ係止部３９から巻き上げた後、図８のＡ、図７に示すように、下方へ引き降ろして、他端６３Ｒをクランプアーム５１Ｒの根元側の高くなっている部分に引っ掛けて係止されている。他方、トーションバネ６１Ｌはバネ係止部３９から巻き下げて、図８のＢ、図７に示すように、他端６３Ｌをクランプアーム５１Ｌの根元側に引っ掛けて係止されている。このクランプアーム５１Ｒとクランプアーム５１Ｌにおける係止箇所の高さの違いは、同じ高さレベルにあるクランプアーム５１Ｒとクランプアーム５１Ｌを同じ回動支持部３３Ｂに取り付けるために、図７に示すように、それぞれの根元部５２Ｌと根元部５２Ｒの高さ位置を上下にずらせているからである。
【００５１】
図９は上述の図６、図７、図８に示した２個のトーションバネ６１Ｌとトーションバネ６１Ｒをフリーな状態で示す図である。すなわち、図９のＡは左トーションバネ６１Ｌの平面図（上側）と側面図（下側）であり、左トーションバネ６１Ｌの上端６２Ｌは共通のバネ係止部３９に係止され、下端６３Ｌはクランプアーム５１Ｌに係止される。他方、図９のＢは右トーションバネ６１Ｒの平面図（上側）と側面図（下側）であり、同様に、右トーションバネ６１Ｒの上端６２Ｒは共通のバネ係止部３９に係止され、下端６３Ｒはクランプアーム５１Ｒに係止される。
【００５２】
上述したように、実施例１おいては、クランプアーム５１Ｌはトーションバネ６１Ｌによって付勢し、クランプアーム５１Ｒはトーションバネ６１Ｒによって付勢しているが、そうすることによって、クランパー５３Ｌおよびクランパー５３Ｒを片手で把持し、付勢に抗してクランプアーム５１Ｌとクランプアーム５１Ｒを相互に近接する第２の方向へ回動させる時、一方のクランパー５３Ｌにかける付勢に抗する力、すなわち、トーションバネ６１Ｌを伸張させてクランプアーム５１Ｌをクランプアーム５１Ｒの方へ回動させるに要する力は回動角の大きさに比例して大になる。このことはクランパー５３Ｒに付勢に抗する力をかける場合も同様である。従って、意識せずとも、クランパー５３Ｌにかける力とクランパー５３Ｒにかける力をバランスさせるようになり、一方のクランパー５２Ｌには力をかけるが、他方のクランパー５２Ｒには力をかけないようなことは生じ難くなるのである。
【００５３】
また、図７、図８に示すように、バネ・ホルダー３３Ｕの上面には、リング状のフリクション・ゴム４０を介して、上下を逆にしたカップ形状のパン・チルト・テーブル３８が回動可能に取り付けられている。すなわち、パン・チルト・テーブル３８の下端と本体３１との間に若干の隙間Ｇが設けられており、パン・チルト・テーブル３８の天井部の下面側に設けたフランジ３８ｆを抑え込むためのカラー４１が取付ネジ４２によってバネ・ホルダー３３Ｕに螺着されている。このフリクション・ゴム４０が存在することにより、適度な摩擦抵抗を伴って、図８のＡ、Ｂに示すように、パン・チルト・テーブル３８をバネ・ホルダー３３Ｕの回りに手動で回動させることができ、ウエブカメラ２０をパンさせることができる。そして、任意のパン角度とした位置において、ウエブカメラ２０はフリクション・ゴム４０の弾性に基づく復元力によって固定され、僅かな力では動くことなく、その角度位置に保持される。また上述したように、ウエブカメラ２０は、図８に示したように、チルト用回動軸２４によって、上下方向にチルトさせることができる。
【００５４】
そのほか、図１のように、ウエブカメラ２０をノート型ＰＣ１０の表示パネル１１にクリップして設置するのではなく、チルト用回動軸２４を利用し、図１１の側面図に示すように、クランパー５３Ｌとクランパー５３Ｒを台座として利用することができる。図１１において、ウエブカメラ２０が二点鎖線で示す位置にある場合は、図２において挟持板４３とクランパー５３Ｌ、クランパー５３Ｒとに挟持されている表示パネル１１を抜き取った状態、換言すれば、図５において付勢されているクランプアーム５１Ｒとクランプアーム５１Ｌがストッパー３７Ｌ、３７Ｒに当接している状態に相当するが、図１１において実線で示すウエブカメラ２０は二点鎖線で示す位置からチルト用回動軸２４によって前方へ角度で９０度の回動をさせた状態である。そして、図１２はクランパー５３Ｌとクランパー５３Ｒを台座とし、ウエブカメラ２０を据え置き型として使用している状態を示す斜視図である。
【実施例２】
【００５５】
実施例１において使用した、図９のＡ、Ｂに示す２個のトーションバネ６１Ｌ、６１Ｒに換えて、図１０に示す１個のトーションバネ６５を使用しても、実施例１のクリップ機構と同様に作用するクリップ機構を作成することができる。図１０はトーションバネ６５の平面図（上側）と側面図（下側）である。このトーションバネ６５は、実施例１で使用した２個のトーションバネ６１Ｌ、６１Ｒと同様に、図６、図７、図８に示したバネ・ホルダー３３Ｕの周面に沿って巻装されるが、トーションバネ６５の長さの中間部分においてループ６６を設けており、このループ６６を実施例１で述べたバネ係止部３９に係止し、下側となっている一端６７Ｌはクランプアーム５１Ｌに係止し、他端６７Ｒはクランプアーム５１Ｒに係止して使用される。
【００５６】
この１個のトーションバネ６５によってクランプアーム５１Ｌとクランプアーム５１Ｒを付勢したクランプ機構については、図６を援用し、片手でクランパー５３Ｌとクランパー５３Ｒを把持し、付勢に抗してクランパー５３Ｌとクランパー５３Ｒを相互に近接する第２の方向へ回動させて近接させる時、一方のクランパー、例えばクランパー５３Ｌに力をかけても、トーションバネ６５の一端６７Ｌからループ６６までの部分は伸張するが、ループ６６から他端６７Ｒまでの部分は伸張しない。そして、クランパー５３Ｌにかける付勢に抗する力（トーションバネ６５の一端６７Ｌからループ６６までの部分を伸張するに要する力）はクランパー５３Ｌの回動角の大きさに比例する。従って、クランパー５３Ｌにかける付勢に抗する力と、クランパー５３Ｒにかける付勢に抗する力（トーションバネ６５の他端６７Ｒからループ６６までの部分を伸張するに要する力）は意識せずともバランスがとられ、一方にかける力が他方にかける力より大になることは起こり難い。従って実施例１の場合と同様に、挟持板４３を含む本体３１の向きは変動せず、本体３１に保持されているウエブカメラ２０の正面を意図する向きにクリップすることができる。
【００５７】
以上、本発明のクリップ機構およびクリップ機構を備えた撮像装置を実施例によって説明したが、勿論、本発明はこれに限定されることなく、本発明の技術的思想に基づいて種々の変形が可能である。
【００５８】
例えば実施例１においては、クランプアーム５１Ｌ、５１Ｒを直線状としたが、挟持板４３側へ向かって凸の円弧状としてもよく、また、クランパー５３Ｌ、５３Ｒの近傍でクランプアーム５１Ｌ、５１Ｒを挟持板４３側へ凸に曲げた形状としてもよい。
【産業上の利用可能性】
【００５９】
本実施例においては、ウエブカメラ２０を備えたクリップ機構３０を例示したが、このクリップ機構３０はウエブカメラに限らす、マイクロフォン、小型のスピーカ、扇風機、補助灯、ストロボ等を被クリップ部材としての固定用器具に片手で容易に着脱し得るクリップ機構として適用することができる。
【図面の簡単な説明】
【００６０】
【図１】実施例１のクリップ機構を備えたウエブカメラをノート型ＰＣの表示パネルに取り付けた状態を示す斜め正面側からの斜視図である。
【図２】同ウエブカメラを斜め裏面側から見た斜視図である。
【図３】図２のウエブカメラをクリップ機構によってクリップしようとする状態を示す斜視図である。
【図４】ウエブカメラとクリップ機構との平面図である。
【図５】クリップ機構におけるパン・チルト・テーブルを取り除いて、クリップ機構の本体内部を示す平面図である。
【図６】同じくパン・チルト・テーブルを取り除いてクリップ機構を示す斜視図である。
【図７】図４における［７］−［７］線方向の断面図である。
【図８】図４における［８］−［８］線方向の断面図であり、図８Ａはトーションバネとバネ・ホルダーを破断しない部分破断断面図、図８Ｂはトーションバネとバネ・ホルダーも破断した断面図である。
【図９】実施例１で使用した一組２個のトーションバネを示す平面図と側面図であり、図９Ａは左トーションバネ、図９Ｂは右トーションバネである。
【図１０】実施例２で使用した１個のトーションバネを示す平面図と側面図である。
【図１１】ウエブカメラのチルト用回動軸によって、左右のクランパーを台座として使用し得ることを示す側面図である。
【図１２】左右のクランパーを台座としてウエブカメラを据置き型とした場合の斜視図である。
【図１３】従来例のクリップ機構を備えたウエブカメラがノート型ＰＣにクリップされている状態を示す斜視図である。
【図１４】同カメラのクリップ機構を示す部分破断斜視図である。
【図１５】他の従来例のクリップ機構を備えたウエブカメラを示す斜視図であり、            図１５Ａはクリップ前の状態、図１５Ｂはクリップした状態を示す。
【符号の説明】
【００６１】
１０・・・ノート型ＰＣ、  １１・・・表示パネル、  ２０・・・ウエブカメラ、
２４・・・チルト用回動軸、    ３０・・・クリップ機構、    
３１・・・クリップ機構の本体、  ３３Ｂ・・・回動支持部、
３３Ｕ・・・バネ・ホルダー、    ３５・・・連結ネジ、
３８・・・ パン・チルト・テーブル、    ３９・・・バネ係止部、
４０・・・フリクション・ゴム、    ４２・・・カラー、  ４３・・・挟持板、
５１Ｌ・・・左クランプアーム、    ５１Ｒ・・・右クランプアーム、
５２Ｌ・・・左リング状根元部、    ５２Ｒ・・・右リング状根元部、
５３Ｌ・・・左クランパー、    ５３Ｒ・・・右クランパー、
６１Ｌ・・・左ト−ションバネ、    ６１Ｒ・・・右ト−ションバネ、
６２Ｌ・・・左ト−ションバネの一端、    ６２Ｒ・・・右ト−ションバネの一端、
６３Ｌ・・・左ト−ションバネの他端、    ６３Ｒ・・・右ト−ションバネの他端、
６５・・・他のト−ションバネ、    ６６・・・同バネの係止用ループ。
【図１】
2007249008.tif 000003
【図２】
2007249008.tif 000004
【図３】
2007249008.tif 000005
【図４】
2007249008.tif 000006
【図５】
2007249008.tif 000007
【図６】
2007249008.tif 000008
【図７】
2007249008.tif 000009
【図８】
2007249008.tif 000010
【図９】
2007249008.tif 000011
【図１０】
2007249008.tif 000012
【図１１】
2007249008.tif 000013
【図１２】
2007249008.tif 000014
【図１３】
2007249008.tif 000015
【図１４】
2007249008.tif 000016
【図１５】
2007249008.tif 000017